Podtech/llm-jp-corpus-v4-ja_patent huggingface dataset:
【手続補正書】
【提出日】平成26年10月31日(2014.10.31)
【手続補正１】
【補正対象書類名】特許請求の範囲
【補正対象項目名】全文
【補正方法】変更
【補正の内容】
【特許請求の範囲】
【請求項１】
空気の流れを発生させるファンと、
前記空気の流れの流路上であって前記ファンより上流側に存在し、前記空気の流れを通過させる孔を有するフィルタと、
前記フィルタを回転させる電動機と、
前記フィルタの周囲を囲む油分捕集部材と、
前記ファンと前記電動機の回転を制御する制御部と、を備え、
前記制御部は、前記ファンと前記電動機とを同時に回転させることがあり、
前記制御部は、前記ファンの回転数を変化させ、前記ファンの回転数に応じて前記電動機の回転数を変化させることを特徴とするレンジフード。
【請求項２】
前記制御部は、前記ファンの回転を開始する時と前記電動機の回転を開始する時が同時である、および／または、前記ファンの回転を終了する時と前記電動機の回転を終了する時が同時であるように制御することを特徴とする請求項１に記載のレンジフード。
【請求項３】
前記制御部は、前記ファンの回転を開始する時と前記電動機の回転を開始する時が同時であるように制御し、および、前記ファンの回転終了後所定時間経過後に前記電動機の回転を終了するように制御することを特徴とする請求項２に記載のレンジフード。
【請求項４】
前記制御部は、前記ファンの回転を開始する時と前記電動機の回転を開始する時が異なる時点である、および、前記ファンの回転を終了する時と前記電動機の回転を終了する時が異なる時点であるように制御することを特徴とする請求項１に記載のレンジフード。
【請求項５】
前記制御部は、前記ファンと前記電動機の回転数を段階的に変化させることを特徴とする請求項１に記載のレンジフード。
【請求項６】
空気の流れを発生させるファンと、
前記空気の流れの流路上であって前記ファンより上流側に存在し、前記空気の流れを通過させる孔を有するフィルタと、
前記フィルタを回転させる電動機と、
前記フィルタの周囲を囲む油分捕集部材と、
前記ファンと前記電動機の回転数を段階的に変化させることができる制御部と、を備え、
前記制御部は、前記ファンの回転数が最も小さい段階において前記電動機を回転させないことを特徴とするレンジフード。
【請求項７】
前記制御部は、前記ファンが前記ファンの回転数が最も小さい段階でのみ回転した後回転が終了した場合、前記ファンの回転が終了した時に前記電動機を回転させることを特徴とする請求項６に記載のレンジフード。
【請求項８】
前記電動機の回転を制御するフィルタ回転制御スイッチを備えることを特徴とする請求項１乃至７のいずれかに記載のレンジフード。
【手続補正２】
【補正対象書類名】明細書
【補正対象項目名】００１１
【補正方法】変更
【補正の内容】
【００１１】
上記課題を解決するために、空気の流れを発生させるファンと、その空気の流れの流路上であってそのファンより上流側に存在し、その空気の流れを通過させる孔を有するフィルタと、そのフィルタを回転させる電動機と、そのフィルタの周囲を囲む油分捕集部材と、そのファンとその電動機の回転を制御する制御部と、を備え、その制御部は、そのファンとその電動機とを同時に回転させることがあり、制御部は、ファンの回転数を変化させ、ファンの回転数に応じて電動機の回転数を変化させることを特徴とするレンジフードが提供される。
これによれば、ファンと同時にフィルタを回転させることにより、フィルタを回転させるための電動機が発生させる騒音やフィルタの回転による風切り音を、使用者が気にならない程度のものとすることができる。また、ファンの回転即ちレンジフードの稼働と、フィルタの回転の両方を少なくとも一時点で同時に行うことにより、フィルタへの油分の付着量が少なくなり、フィルタ表面での油分の固着化を防止することができる。また、これによれば、油分が多く付着する場合にはより強い遠心力を与えてフィルタから早く油分を飛ばしてフィルタの目詰まりを防止し、油分の付着量を低減させるとともに、レンジフードの回転速度が遅い時には必要以上にフィルタを高速で回転させることを防ぐことができる。
【手続補正３】
【補正対象書類名】明細書
【補正対象項目名】００１５
【補正方法】削除
【補正の内容】
【手続補正書】
【提出日】平成26年8月25日(2014.8.25)
【手続補正１】
【補正対象書類名】特許請求の範囲
【補正対象項目名】全文
【補正方法】変更
【補正の内容】
【特許請求の範囲】
【請求項１】
空気の流れを発生させるファンと、
前記空気の流れの流路上であって前記ファンより上流側に存在し、前記空気の流れを通過させる孔を有するフィルタと、
前記フィルタを回転させる電動機と、
前記フィルタの周囲を囲む油分捕集部材と、を備え、
前記ファンが前記空気の流れを発生させると共に前記電動機が前記フィルタを回転させることにより、前記空気に含まれる油分を前記油分捕集部材に捕集するレンジフードであって、
前記孔の円周方向における径は０．７５ｍｍ以下であり、かつ、前記フィルタの回転数は２３０ｒｐｍ以上である、または、
前記孔の円周方向における径は１．００ｍｍ以下であり、かつ、前記フィルタの回転数は３１０ｒｐｍ以上である、または、
前記孔の円周方向における径は１．５０ｍｍ以下であり、かつ、前記フィルタの回転数は４６０ｒｐｍ以上である、または、
前記孔の円周方向における径は２．００ｍｍ以下であり、かつ、前記フィルタの回転数は６２０ｒｐｍ以上である、または、
前記孔の円周方向における径は５．００ｍｍ以下であり、かつ、前記フィルタの回転数は１５００ｒｐｍ以上である、
レンジフード。
【請求項２】
前記フィルタは円盤状であり、前記電動機の回転軸は前記フィルタの円盤の中心に取り付けられることを特徴とする請求項１に記載のレンジフード。
【請求項３】
前記フィルタの両表面は、平滑な面であることを特徴とする請求項１または２に記載のレンジフード。
【請求項４】
前記孔の円周方向における径の一端と他端が、ある円周上の１点を通過するのに必要な時間のフィルタにおける平均値が、３．２×１０-4秒以下であることを特徴とする請求項１乃至３のいずれかに記載のレンジフード。
【請求項５】
（１）式で表わされる孔径平均通過時間（ｔｘ）が、３．２×１０-4秒以下であることを特徴とする請求項１乃至３のいずれかに記載のレンジフード。
【数１】
2013139946.tif 000001
但し、ＤＡはフィルタの孔の円周方向における径、Ｒｍａｘはフィルタにおける孔が存在する領域の外側の半径、Ｒｍｉｎはフィルタにおける孔が存在する領域の内側の半径、Ｎはフィルタの単位時間当たり回転数である。
【請求項６】
前記フィルタの周囲を囲む前記油分捕集部材の下流側の端部と前記フィルタの下流側円盤面との最短距離は、前記油分捕集部材の上流側の端部と前記フィルタの上流側円盤面との最短距離以上であることを特徴とする請求項２乃至５いずれかに記載のレンジフード。
【請求項７】
前記油分捕集部材の下流側の端部に、前記油分捕集部材の内壁より内側に延在する延在部をさらに備えることを特徴とする請求項２乃至６いずれかに記載のレンジフード。
【手続補正２】
【補正対象書類名】明細書
【補正対象項目名】００１１
【補正方法】変更
【補正の内容】
【００１１】
本発明者は、上記課題を解決するために鋭意検討した結果、レンジフードのファンを稼働させながらフィルタを動かすことにより圧力損失が小さい状態で高い油捕集効率が得られることを見出し、本発明を完成するに至った。
上記課題を解決するために、空気の流れを発生させるファンと、その空気の流れの流路上であってそのファンより上流側に存在し、その空気の流れを通過させる孔を有するフィルタと、そのフィルタを回転させる電動機と、そのフィルタの周囲を囲む油分捕集部材と、を備え、そのファンがその空気の流れを発生させる共にその電動機がそのフィルタを回転させることにより、その空気に含まれる油分をその油分捕集部材に捕集するレンジフードであって、その孔の円周方向における径は０．７５ｍｍ以下でありかつそのフィルタの回転数は２３０ｒｐｍ以上である、または、その孔の円周方向における径は１．００ｍｍ以下でありかつそのフィルタの回転数は３１０ｒｐｍ以上である、または、その孔の円周方向における径は１．５０ｍｍ以下でありかつそのフィルタの回転数は４６０ｒｐｍ以上である、または、その孔の円周方向における径は２．００ｍｍ以下でありかつそのフィルタの回転数は６２０ｒｐｍ以上である、または、その孔の円周方向における径は５．００ｍｍ以下でありかつそのフィルタの回転数は１５００ｒｐｍ以上であるレンジフードが提供される。
これによれば、圧力損失が小さい状態で高い油捕集効率を有するレンジフードを提供できる。即ち、フィルタに油分が付着し目詰まりを起こすことが少なくなることにより、フィルタ自体の洗浄の労力が低減し、使用するに従って圧力損失が増加することを防止でき、さらに、空気流路におけるフィルタより下流部分にほとんど油分が付着しないため、フィルタより下流部分を清掃／洗浄する手間を大幅に軽減するレンジフードを提供できると共に、油捕集効率がさらに向上するレンジフードを提供できる。
【手続補正３】
【補正対象書類名】明細書
【補正対象項目名】００１４
【補正方法】削除
【補正の内容】
【手続補正書】
【提出日】平成26年1月24日(2014.1.24)
【手続補正１】
【補正対象書類名】明細書
【補正対象項目名】０００５
【補正方法】変更
【補正の内容】
【０００５】
さらに、シングルデッキ構造の浮屋根タンクのデッキ板を矯正する従来技術の発明には、特開２００９−７８８２６号（特許文献３参照）「貯槽の浮屋根の形成方法及び貯槽の浮屋根」の発明がある。
この特許文献３の発明は、図１４に示すように、固定屋根付浮屋根貯槽のパンタイプ内部浮屋根をポンツーンタイプ内部浮屋根に改造するもので、デッキ３の変形防止として外周のポンツーン６の浮力を増加させる浮き体１５、デッキ３の中央を押さえる重り１６を有するものである。
【手続補正２】
【補正対象書類名】明細書
【補正対象項目名】０００６
【補正方法】変更
【補正の内容】
【０００６】
【特許文献１】特開平１０−３１６１９３号
【特許文献２】特開２００６−４４６６８号
【特許文献３】特開２００９−７８８２６号
【手続補正３】
【補正対象書類名】明細書
【補正対象項目名】００２１
【補正方法】変更
【補正の内容】
【００２１】
請求項５の発明に係るシングルデッキ構造浮屋根の撓み矯正用具は、上記請求項３又は４記載の荷重付加部材の下部とデッキ板の上部との間に屋根腐食防止ピースを設け、荷重付加部材相互の間には火花防止部材を設けたので、着脱作業時や使用時に腐食防止ピースによってデッキ板との間隔を保持し排水性を良くして腐食の発生を防止し、さらに火花防止材によって荷重付加部材の装着時や使用中に火花を発生することがなく安全性を確保することができる。
【手続補正４】
【補正対象書類名】明細書
【補正対象項目名】００２８
【補正方法】変更
【補正の内容】
【００２８】
図６は、図３の変化例で、デッキポースト１０を支えるブラケット１４がデッキ板６の上部にある場合の、荷重付加部材１１Ｂの事例である。
この場合、荷重付加部材１１Ｂはブラケット１４に引っ掛からないようにデッキポースト１０に装着する図７及び図８に示すような構造とする。この荷重付加部材１１Ｂは、デッキ板６の撓みの大きさ、つまり凸部６aの高さ程度に応じて、荷重付加部材１１Ｂの枚数を１１ａ，１１ｂ・・・と複数個重ね合わせて増やし重さを調整して撓みを矯正する。
また、腐食防止ピース１２はデッキ板６との間隔を保持するように設け、火花防止材１３は鋼材で形成した荷重付加部材１１ａ，１１ｂが相互に打ち当って火花を発生しないように介装する。
このように、腐食防止ピース１２によってデッキ板６との間隔を保持し排水性を良くして腐食の発生を防止し、さらに火花防止材１３によって荷重付加部材１１Ｂの装着時や使用中に火花を発生することなく安全性が確保される。
【手続補正書】
【提出日】平成26年3月25日(2014.3.25)
【手続補正１】
【補正対象書類名】特許請求の範囲
【補正対象項目名】全文
【補正方法】変更
【補正の内容】
【特許請求の範囲】
【請求項１】
適当な担体と共に有効量のラクトバチルス・ケフィラノファシエンス（Lactobacillus kefiranofaciens）を含んで成るプロバイオティクス組成物であって、該ラクトバチルス・ケフィラノファシエンス（Lactobacillus kefiranofaciens）が、Ｒ２Ｃ２（ＩＤＡＣ受託番号０４１２０２−３）、ＩＮＩＸ（ＩＤＡＣ受託番号０４１２０２−４）、Ｋ２（ＩＤＡＣ受託番号０４１２０２−１）、及びＥＳ１（ＩＤＡＣ受託番号０４１２０２−２）から成る群から選択される株である、プロバイオティクス組成物。
【請求項２】
腸内付着、腸内持続、腸内ミクロフローラの陽性調節、腸内病原菌に対する保護、免疫調節、全身性炎症、腸炎、アレルギー、下痢、糖尿病、高脂血症、結腸癌、自己免疫疾患、循環器疾患、高血圧、体重障害、トリグリセリド血症、トリグリセリド障害、メタボリックシンドローム又は肥満の予防及び／又は治療、体重管理の制御、コレステロールの低減、又は抗炎症効果の獲得のための、請求項１に記載の組成物。
【請求項３】
前記組成物が、経口、直腸、又は膣投与用である、請求項１に記載の組成物。
【請求項４】
前記腸炎が、炎症性腸疾患（ＩＢＤ）、クローン病（ＣＤ）、潰瘍性大腸炎（ＵＣ）により、又は過敏性腸症候群（ＩＢＳ）により生じる、請求項２に記載の組成物。
【請求項５】
前記メタボリックシンドロームが、高血圧、低ＨＤＬ、腹部の脂肪、インスリン耐性、及び高レベルのトリグリセリドの５つの問題に関係する、請求項２に記載の組成物。
【請求項６】
プロバイオティクス組成物の製造におけるラクトバチルス・ケフィラノファシエンス（Lactobacillus kefiranofaciens）の使用であって、ここで該ラクトバチルス・ケフィラノファシエンス（Lactobacillus kefiranofaciens）が、Ｒ２Ｃ２（ＩＤＡＣ受託番号０４１２０２−３）、ＩＮＩＸ（ＩＤＡＣ受託番号０４１２０２−４）、Ｋ２（ＩＤＡＣ受託番号０４１２０２−１）、及びＥＳ１（ＩＤＡＣ受託番号０４１２０２−２）から成る群から選択される株である、使用。
【請求項７】
前記プロバイオティクス組成物が腸内付着、腸内持続、腸内ミクロフローラの陽性調節、腸内病原菌に対する保護、免疫調節、全身性炎症、腸炎、アレルギー、下痢、糖尿病、高脂血症、結腸癌、自己免疫疾患、循環器疾患、高血圧、体重障害、トリグリセリド血症、トリグリセリド障害、メタボリックシンドローム又は肥満の予防及び／又は治療、体重管理の制御、コレステロールの低減、又は抗炎症効果の獲得のためのものである、請求項６に記載の使用。
【請求項８】
前記ラクトバチルス・ケフィラノファシエンス（Lactobacillus kefiranofaciens）が経口投与用である、請求項６に記載の使用。
【請求項９】
前記ラクトバチルス・ケフィラノファシエンス（Lactobacillus kefiranofaciens）が、生細菌集団、凍結乾燥細菌集団、発酵乳製品及び非生存細菌試料から成る群から選択される形態において存在する、請求項８に記載の使用。
【請求項１０】
前記非生存細菌試料が、熱殺細菌、照射細菌、及び溶解細菌から成る群から選択される、請求項９に記載の使用。
【請求項１１】
前記プロバイオティクス組成物が、抗炎症性効果を有する、請求項６に記載の使用。
【請求項１２】
前記ラクトバチルス・ケフィラノファシエンス（Lactobacillus kefiranofaciens）が、抗炎症性化合物と共に使用される、請求項６〜１１のいずれか一項に記載の使用。
【請求項１３】
前記抗炎症性化合物が５−アセチルサルチル酸又は副腎皮質ステロイドである、請求項１２に記載の使用。
【請求項１４】
前記メタボリックシンドロームが、高血圧、低ＨＤＬ、腹部の脂肪、インスリン耐性、及び高レベルのトリグリセリドの５つの問題に関係する、請求項７に記載の使用。
【請求項１５】
高血圧の治療のための医薬であって、ラクトバチルス・ケフィラノファシエンス（Lactobacillus kefiranofaciens）による乳清の発酵から得られた生成物を含んで成り、ここで該ラクトバチルス・ケフィラノファシエンス（Lactobacillus kefiranofaciens）が、Ｒ２Ｃ２（ＩＤＡＣ受託番号０４１２０２−３）、ＩＮＩＸ（ＩＤＡＣ受託番号０４１２０２−４）、Ｋ２（ＩＤＡＣ受託番号０４１２０２−１）、及びＥＳ１（ＩＤＡＣ受託番号０４１２０２−２）から成る群から選択される株である、医薬。
【請求項１６】
高脂血症の治療のための医薬であって、ラクトバチルス・ケフィラノファシエンス（Lactobacillus kefiranofaciens）による乳清の発酵から得られた生成物を含んで成り、ここで該ラクトバチルス・ケフィラノファシエンス（Lactobacillus kefiranofaciens）が、Ｒ２Ｃ２（ＩＤＡＣ受託番号０４１２０２−３）、ＩＮＩＸ（ＩＤＡＣ受託番号０４１２０２−４）、Ｋ２（ＩＤＡＣ受託番号０４１２０２−１）、及びＥＳ１（ＩＤＡＣ受託番号０４１２０２−２）から成る群から選択される株である、医薬。
【手続補正書】
【提出日】平成25年12月18日(2013.12.18)
【手続補正１】
【補正対象書類名】特許請求の範囲
【補正対象項目名】全文
【補正方法】変更
【補正の内容】
【特許請求の範囲】
【請求項１】
それぞれの不純物（Ｓ）−２−［３−（３−フルオロベンジル）−４−（３−フルオロベンジルオキシ）ベンジルアミノ］プロパンアミド（ＩＩａ）及び（Ｓ）−２−［３−（２−フルオロベンジル）−４−（２−フルオロベンジルオキシ）ベンジルアミノ］プロパンアミド（ＩＩｂ）：
【化１】
2013139446.tif 000001
又は医薬的に許容可能な酸とのその塩の含量が０．０３％未満、好ましくは０．０１％（重量）未満である、高純度サフィナミドもしくはラルフィナミド又は医薬的に許容可能な酸とのその塩。
【請求項２】
医薬的に許容可能な酸がメタンスルホン酸であり、メタンスルホン酸との塩としての式（ＩＩａ）及び（ＩＩｂ）のそれぞれの不純物の含量が０．０１％（重量）未満である、請求項１に記載の医薬的に許容可能な酸との高純度サフィナミド又はラルフィナミド塩。
【請求項３】
ＣＹＰ４５０系のチトクローム、特にＣＹＰ３Ａ４、ＣＹＰ２Ｄ６、ＣＹＰ２Ｃ１９、ＣＹＰ２Ｃ９に干渉せず、ＨＥＲＧチャネル遮断性を示さない条件下で、（ａ）癲癇、パーキンソン病、アルツハイマー病、鬱病、不穏下肢症候群及び偏頭痛又は（ｂ）慢性疼痛と神経因性疼痛を含む疼痛症状、偏頭痛、双極性障害、鬱病、心臓血管障害、炎症性障害、尿生殖器障害、代謝障害及び胃腸障害の治療用医薬の製造用としての、請求項１に記載の式（ＩＩａ）及び（ＩＩｂ）のそれぞれの不純物又は医薬的に許容可能な酸とのその塩が０．０３％未満、好ましくは０．０１％（重量）未満である、高純度サフィナミド（ａ）もしくはラルフィナミド（ｂ）又は医薬的に許容可能な酸とのその塩の使用。
【請求項４】
低代謝能群（ＰＭ）に分類される患者における、請求項３に記載の障害の治療用医薬の製造用として、又はＣＹＰ４５０系のチトクロームと相互作用することが分かっている他の薬剤及び／又はＨＥＲＧチャネル遮断性をもつことが分かっている他の薬剤を同時に投与している患者の治療処置用としての、高純度サフィナミド又はラルフィナミド又は医薬的に許容可能な酸とのその塩の使用。
【請求項５】
医薬的に許容可能な酸がメタンスルホン酸であり、メタンスルホン酸との塩としての式（ＩＩａ）及び（ＩＩｂ）のそれぞれの不純物の含量が０．０１％（重量）未満である、請求項３及び４に記載の使用。
【請求項６】
双極性障害の治療の為の製造用医薬としての、請求項１〜５のいずれか一項に記載の、高純度ラルフィナミド又はその医薬的に許容される酸付加塩、好ましくはメタンスルホン酸との塩、の使用。
【請求項７】
請求項１に記載の式（ＩＩａ）及び（ＩＩｂ）のそれぞれの不純物又は医薬的に許容可能な酸とのその塩の含量が０．０３％未満、好ましくは０．０１％（重量）未満である、高純度サフィナミドもしくはラルフィナミド又は医薬的に許容可能な酸とのその塩を含有する医薬製剤。
【請求項８】
医薬的に許容可能な酸がメタンスルホン酸であり、メタンスルホン酸との塩としての式（ＩＩａ）及び（ＩＩｂ）のそれぞれの不純物の含量が０．０１％（重量）未満である、請求項７に記載の医薬製剤。
【請求項９】
請求項７に記載の式（ＩＩａ）及び（ＩＩｂ）のそれぞれの不純物又はその塩の含量が０．０３％未満、好ましくは０．０１％（重量）未満である高純度サフィナミドもしくはラルフィナミド又は医薬的に許容可能な酸とのその塩に加えて１種類以上の他の活性剤を含有している、請求項７に記載の医薬製剤。
【請求項１０】
医薬的に許容可能な酸がメタンスルホン酸であり、メタンスルホン酸との塩としての式（ＩＩａ）及び（ＩＩｂ）のそれぞれの不純物の含量が０．０１％（重量）未満である、請求項９に記載の医薬製剤。
【請求項１１】
他の活性剤がドーパミンアゴニスト及び／又はレボドパ及び／又はカテコール−Ｏ−メチルトランスフェラーゼ（ＣＯＭＴ）阻害剤である請求項９及び１０のいずれかに記載の、高純度サフィナミド又は医薬的に許容可能な酸とのその塩を含有する医薬製剤。
【請求項１２】
他の活性剤がガバペンチンもしくはプレガバリン又はその医薬的に許容可能な酸付加塩である、請求項９及び１０のいずれかに記載の高純度ラルフィナミド又は医薬的に許容可能な酸とのその塩を含有する医薬製剤。
【請求項１３】
ドーパミンアゴニスト、レボドパ及びカテコール−Ｏ−メチルトランスフェラーゼ（ＣＯＭＴ）阻害剤から選択される、少なくとも１つの補助パーキンソン病活性剤と組み合わせて、パーキンソン病を治療する医薬を製造するための、請求項３〜５のいずれか一項に記載の、高純度サフィナミド又は医薬的に許容可能な酸とのその塩の使用。
【請求項１４】
ガバペンチンもしくはプレガバリンと組み合わせて、疼痛を治療する医薬を製造するための、請求項３〜５のいずれか一項に記載の、高純度ラルフィナミド又は医薬的に許容可能な酸とのその塩の使用。
【手続補正書】
【提出日】平成26年10月2日(2014.10.2)
【手続補正１】
【補正対象書類名】特許請求の範囲
【補正対象項目名】全文
【補正方法】変更
【補正の内容】
【特許請求の範囲】
【請求項１】
（Ａ）トリポリヒドロキシ脂肪酸ジペンタエリスリチル、（Ｂ）油成分、（Ｃ）水及び（Ｄ）水溶性塩類を含有する二層型クレンジング化粧料。
【請求項２】
実質的に界面活性剤を含まない、請求項１記載の二層型クレンジング化粧料。
【請求項３】
（Ａ）成分が、ポリヒドロキシＣ12−Ｃ22脂肪酸とジペンタエリスリトールのトリエステルである、請求項１又は２記載の二層型クレンジング化粧料。
【請求項４】
ポリヒドロキシＣ12−Ｃ22脂肪酸とジペンタエリスリトールのトリエステルが、トリポリヒドロキシステアリン酸ジペンタエリスリチルである、請求項３記載の二層型クレンジング化粧料。
【請求項５】
（Ｂ）成分が、揮発性油剤を含有するものである、請求項１〜４のいずれか１項記載の二層型クレンジング化粧料。
【請求項６】
揮発性油剤が、軽質流動イソパラフィン、イソドデカン及びデカメチルシクロペンタシロキサンから選ばれる１種以上である、請求項５記載の二層型クレンジング化粧料。
【請求項７】
（Ｂ）成分中の揮発性油剤の含有割合が３０〜１００質量％である、請求項５又は６記載の二層型クレンジング化粧料。
【請求項８】
さらに（Ｅ）水溶性色素を含有する、請求項１〜７のいずれか１項記載の二層型クレンジング化粧料。
【手続補正書】
【提出日】平成26年11月12日(2014.11.12)
【手続補正１】
【補正対象書類名】特許請求の範囲
【補正対象項目名】全文
【補正方法】変更
【補正の内容】
【特許請求の範囲】
【請求項１】
ラピッドプロトタイピング技術により、水溶性化合物を主成分とする粉体材料により構造体を形成し、
前記形成された構造体に含まれる水分に反応して接着機能を生じる接着剤を、前記構造体に含浸させる
構造物の製造方法。
【請求項２】
請求項１に記載の構造物の製造方法であって、
前記接着剤の含浸工程では、前記接着剤の含浸により得られる前記構造物が、前記接着剤を含まない内部と、前記接着剤を含む表層部とを有するように、前記構造体への前記接着剤の含浸率が制御される
構造物の製造方法。
【請求項３】
請求項１または２に記載の構造物の製造方法であって、
前記接着剤の含浸前に、前記構造体を乾燥させることをさらに具備する
構造物の製造方法。
【請求項４】
請求項３に記載の構造物の製造方法であって、
前記構造体の乾燥は、前記構造体を加熱することを含む
構造物の製造方法。
【請求項５】
請求項２に記載の構造物の製造方法であって、
前記接着剤の含浸により得られる前記構造物の前記表層部の強度が、前記内部の強度の１０倍以上２５０倍以下である
構造物の製造方法。
【請求項６】
請求項２に記載の構造物の製造方法であって、
前記接着剤の含浸により得られる前記構造物の前記表層部から前記内部まで貫通する穴を形成し、
前記形成された穴内に、前記粉体材料の溶媒を注入して前記粉体材料を溶出させることで、前記内部の少なくとも一部に中空構造を形成する
ことをさらに具備する構造物の製造方法。
【請求項７】
請求項１から６のうちいずれか１項に記載の構造物の製造方法であって、
前記ラピッドプロトタイピング技術のうち粉体造形技術を利用する
構造物の製造方法。
【請求項８】
請求項１から７のうちいずれか１項に記載の構造物の製造方法であって、
前記粉体材料の主成分は、塩化ナトリウムである
構造物の製造方法。
【請求項９】
水溶性化合物を主成分とする粉体材料を有し、第１の接着剤による接着機能により前記粉体材料が固化することにより形成された構造体を備え、
前記構造体に含まれる水分に反応して接着機能を生じる第２の接着剤が、前記構造体に含浸されている
構造物。
【請求項１０】
請求項９に記載の構造物であって、
前記構造体は、
前記第２の接着剤を含まない内部と、
前記内部を覆うように設けられ、前記第２の接着剤により硬化した表層部とを有する
構造物。
【請求項１１】
請求項１０に記載の構造物であって、
前記表層部の強度が、前記内部の強度の１０倍以上２５０倍以下である
構造物。
【請求項１２】
請求項９から１１のうちいずれか１項に記載の構造物であって、
前記粉体材料の主成分は、塩化ナトリウムである
構造物。
【手続補正書】
【提出日】平成26年3月27日(2014.3.27)
【手続補正１】
【補正対象書類名】特許請求の範囲
【補正対象項目名】全文
【補正方法】変更
【補正の内容】
【特許請求の範囲】
【請求項１】
インクジェットプリンター上で取り外し可能な状態で装着され、複数のインクカートリッジ（１−５）が前記インクジェットプリンターに装着され、
前記インクジェットプリンターには、光を感知する受光部（６）と、母線で接続された複数の設備電気接点が設置され、
前記インクカートリッジは、前記対応する設備電気接点（８２）と電気接続する容器電気接点と、
少なくとも前記インクカートリッジに関する情報が格納された情報記憶装置（８３）と、
前記受光部（６）に向けて発光する発光部と、
前記インクジェットプリンターからの発光部の発光を制御する発光指令に基づいて、前記発光部の発光を制御する制御部（８４）とを有し、
前記インクカートリッジ制御部は、
前記インクジェットプリンターから出された前記複数のインクカートリッジのいずれかの発光部の発光を制御する発光指令を受信すると、前記発光部を制御して発光させる
ことを特徴とするインクカートリッジ。
【請求項２】
前記発光指令は、前記インクカートリッジの識別情報と、発光部の状態制御情報から構成される
ことを特徴とする請求項1記載のインクカートリッジ。
【請求項３】
前記インクカートリッジの制御部は、
前記インクジェットプリンターからの前記複数のインクカートリッジのいずれかの発光部の発光を制御する発光指令を受信すると、前記発光部を制御して発光させる、前記制御部は、前記インクジェットプリンターからの発光指令を受信すると、発光指令に含まれる前記発光部の状態制御情報のみで発光部を制御し、前記発光指令に含まれる前記インクカートリッジの識別情報を無視する
ことを特徴とする請求項2記載のインクカートリッジ。
【請求項４】
前記情報記憶装置に記憶されるインクカートリッジ関連情報は、前記インクカートリッジの識別情報を含む
ことを特徴とする請求項１ないし請求項3記載のインクカートリッジ。
【請求項５】
前記インクカートリッジの識別情報は、前記インクカートリッジに入っているインクの色と関連する
ことを特徴とする請求項4に記載のインクカートリッジ。
【請求項６】
前記インクカートリッジ制御部は、情報読み書き制御モジュールを含み、前記情報読み書き制御モジュールは、前記インクジェットプリンターからの前記複数のインクカートリッジのいずれかのインクカートリッジを制御する装着応答指令を受信すると、装着応答指令に含まれるインクカートリッジの識別情報と前記情報記憶装置に含まれる識別情報が一致すると判定すると、前記インクジェットプリンターに一つの応答信号を返信する。
その場合、前記装着応答指令と発光指令とは異なる
ことを特徴とする請求項４記載のインクカートリッジ。
【請求項７】
前記発光部は、可視光又は不可視光を発光する
ことを特徴とする請求項１ないし請求項3記載のインクカートリッジ。
【請求項８】
複数のインクカートリッジを有するインクカートリッジセットであり、各インクカートリッジの制御部は、
前記インクジェットプリンターからの、前記のインクカートリッジセットのいずれかの発光部の発光を制御する発光指令を受信すると、それぞれの発光部を制御して発光させる
ことを特徴とする請求項１ないし請求項７にいずれかに記載のインクカートリッジを含むインクカートリッジセット。
【請求項９】
前記インクカートリッジセットの各インクカートリッジの制御部は、前記インクジェットプリンターからの前記インクカートリッジセットのいずれかの発光部の発光を制御する発光指令を受信すると、それぞれの発光部の発光を制御する。具体的には、前記制御部は、前記インクジェットプリンターからの、発光指令を受信すると、前記発光指令に含まれる前記発光部の状態制御情報のみで発光部を制御し、前記発光指令に含まれる前記インクカートリッジの識別情報を無視する
ことを特徴とする請求項８に記載のインクカートリッジセット。
【請求項１０】
請求項１ないし請求項７にいずれかに記載のインクカートリッジを用いて、
（A）前記インクジェットプリンターが、複数の前記インクカートリッジのいずれかの前記インクカートリッジの発光部の発光を制御する発光指令を送るステップと、
（B）前記複数のインクカートリッジの中の各インクカートリッジの制御部は、前記発光指令を受信すると、それぞれの発光部を制御して発光させるステップとを
有することを特徴とする各インクカートリッジに対する一種の装着検知方法。
【請求項１１】
前記ステップ（B）において、
前記発光指令は、前記インクカートリッジの識別情報と、前記発光部の状態制御情報から構成され、前記制御部は、前記発光指令を受信すると、前記発光指令に含まれる前記発光部の状態制御情報のみで発光部を制御し、前記発光指令に含まれる前記インクカートリッジの識別情報を無視する
ことを特徴とする請求項１０に記載の装着検知方法。
【請求項１２】
前記ステップ（A）を実行する前に、前記インクカートリッジを、前記受光部と対向する位置まで移動させる操作を行なう
ことを特徴とする請求項１１に記載の装着検知方法。
【請求項１３】
前記ステップ（B）を実行後、前記受光部が十分な光量を感知できたかどうかを判定する、
ことを特徴とする請求項１１又は請求項１２に記載の装着検知方法。
【手続補正書】
【提出日】平成25年12月13日(2013.12.13)
【手続補正１】
【補正対象書類名】明細書
【補正対象項目名】０００６
【補正方法】変更
【補正の内容】
【０００６】
小さな高速ガルバニック絶縁装置またはコイルトランスデューサの設計は、高電圧ブレークダウン特性および許容することのできるデータまたは電力の転送速度を維持するとともに、ＥＭＩ、きわめて大きい高速の過渡現象、および、その他の形態の電気的雑音にどのように対処するのかというような、いくつかの厄介な技術的問題を露呈する。
例えば、特許文献１には、バラン変成器が記載されている。
【手続補正２】
【補正対象書類名】明細書
【補正対象項目名】０００７
【補正方法】変更
【補正の内容】
【０００７】
ある種の電気回路においては、論理信号が、お互いに電気的に絶縁された状態に維持されなければならない２つの場所間において伝送される。例えば、医学的検査機器における高電圧は、患者から分離された状態に維持されなければならず、また、工場操作者は、高電圧および／または高電流の機械を操作するときに安全な状態に維持されなければならない。絶縁装置が、操作者によって駆動される制御回路を高電圧および／または高電流の回路から分離するのに使用され、それによって、操作者を保護してもよい。さらに、制御回路自身は、高電圧回路および／または高電流回路の高電圧および／または高電流から十分に絶縁されなければならない。しかしながら、ある種の絶縁装置においては、信号伝送は、かなりの量のＥＭＩを含む環境においては妨害されることがある。信頼性のある信号伝送を提供するために、絶縁装置は、ＥＭＩを除去または低減するように設計されなければならない。必要とされているものは、小さい高速ガルバニック絶縁装置のＥＭＩに対する妨害感受性を最小化するための手段および方法である。
[先行技術文献]
[特許文献]
[特許文献１]米国特許第６４７６７０４号
【手続補正書】
【提出日】平成26年10月2日(2014.10.2)
【手続補正１】
【補正対象書類名】特許請求の範囲
【補正対象項目名】全文
【補正方法】変更
【補正の内容】
【特許請求の範囲】
【請求項１】
車両室内の側面上部に収納され、該側面に沿って膨張展開するカーテンエアバッグであって、
車両前後方向の全体にわたって下から上へロールされ、ガスを利用して膨張するクッション部を備え、
当該カーテンエアバッグが車両に取り付けられた状態で、前記ロールされたクッション部の所定の一部分は、自然状態のクッション部分に対して捩じられていることを特徴とするカーテンエアバッグ。
【請求項２】
前記所定の一部分は、前記クッション部の中間部分にあり、該中間部分の前方部分と後方部分とが同位相であることを特徴とする請求項１に記載のカーテンエアバッグ。
【請求項３】
前記所定の一部分は、前記ロールされたクッション部の車内側が下方から上方へ向かって回転するように捩じられていることを特徴とする請求項１または２に記載のカーテンエアバッグ。
【請求項４】
前記所定の一部分は、車両のピラートリムが配置された箇所およびその近傍に位置することを特徴とする請求項１から３のいずれか１項に記載のカーテンエアバッグ。
【請求項５】
前記クッション部には、車両前後方向に延びるマーキングラインが設けられていて、
前記マーキングラインは、前記所定の一部分に設けられる第１ラインと、前記自然状態にロールされるクッション部分に設けられ前記第１ラインとは繋がっていない第２ラインとを含み、
前記第１ラインは、前記クッション部の全体がロールされた状態で前記第２ラインに対してずれていて、前記所定の一部分が捩じられた状態で前記第２ラインとともにほぼ連続的な線状になることを特徴とする請求項１から４のいずれか１項に記載のカーテンエアバッグ。
【請求項６】
前記車両室内の側面上部に固定可能で、挿通孔が形成されている金属製のブラケットと、
前記クッション部に取り付けられ、前記ブラケットを介して前記車両室内の側面上部から該クッション部を吊り下げる布製のタブとをさらに備え、
前記タブは、前記ブラケットに形成された挿通孔に挿通され折り返されていることを特徴とする請求項１から５のいずれか１項に記載のカーテンエアバッグ。
【請求項７】
前記ブラケットのうち、捩じられる前記所定の一部分に設けられる第１ブラケットは、ロールされる前の前記クッション部の上下方向において、前記自然状態にロールされるクッション部分に設けられる第２ブラケットよりも下方に設けられることを特徴とする請求項６に記載のカーテンエアバッグ。
【請求項８】
前記ブラケットのうち、捩じられる前記所定の一部分に設けられる第１ブラケットは、前記クッション部の全体がロールされた状態で、前記自然状態にロールされるクッション部分に設けられる第２ブラケットに対して所定の位相分だけ移った場所に設けられていることを特徴とする請求項６または７に記載のカーテンエアバッグ。
【請求項９】
前記ロールされたクッション部を外側から覆うプロテクタをさらに備え、
前記プロテクタは、前記ブラケットに隠れない位置で、前記ブラケットの前記クッション部に対する傾きを視認可能なスリットまたはマークを有することを特徴とする請求項６から８のいずれか１項に記載のカーテンエアバッグ。
【手続補正書】
【提出日】平成26年8月22日(2014.8.22)
【手続補正１】
【補正対象書類名】特許請求の範囲
【補正対象項目名】全文
【補正方法】変更
【補正の内容】
【特許請求の範囲】
【請求項１】
遊技領域に遊技媒体を進入させることが可能であり、各々を識別可能な複数種類の識別情報の可変表示を行う可変表示装置に特定表示結果が導出表示されたときに遊技者にとって有利な特定遊技状態に制御する遊技機であって、
リーチ演出を実行するリーチ演出実行手段と、
遊技者に所定の遊技価値を付与する遊技価値付与手段と、を備え、
前記リーチ演出は、導出表示される識別情報の候補の画像と所定演出を示唆する所定演出示唆画像とが前記可変表示装置に表示される特別リーチ演出を含み、
前記特別リーチ演出が実行された後、識別情報が導出表示される前に前記所定演出を実行する所定演出実行手段をさらに備え、
前記遊技価値付与手段は、前記所定演出実行手段により前記所定演出が実行されてから前記特定遊技状態に制御されたときと、前記特別リーチ演出が実行された後前記所定演出が実行されずに前記特定遊技状態に制御されたときとで、異なる遊技価値を付与し、
特定領域に遊技媒体を進入させることを促す促進報知を実行する促進報知手段と、
所定の報知演出を実行しているときに前記促進報知手段による前記促進報知の実行を制限する制限手段と、を更に備えた、
ことを特徴とする遊技機。
【手続補正２】
【補正対象書類名】明細書
【補正対象項目名】００１１
【補正方法】変更
【補正の内容】
【００１１】
（１）本発明による遊技機は、各々を識別可能な複数種類の識別情報（例えば、特別図柄）の可変表示を行う可変表示装置（例えば、特別図柄表示器８ａ，８ｂ）に特定表示結果（例えば、大当り図柄）が導出表示されたときに遊技者にとって有利な特定遊技状態（例えば、大当り遊技状態）に制御する遊技機であって、リーチ演出を実行するリーチ演出実行手段（例えば、演出制御用マイクロコンピュータ１００において、ステップＳ８３１〜Ｓ８３３，Ｓ８４１〜Ｓ８４３の処理を実行する部分）と、遊技者に所定の遊技価値を付与する遊技価値付与手段（例えば、遊技制御用マイクロコンピュータ５６０において、ステップＳ７３，Ｓ１７１Ａの処理を実行する部分）と、を備え、リーチ演出は、導出表示される識別情報の候補の画像（例えば、左右の停止図柄と同じ図柄と、左右の停止図柄よりも数字が１つ多い図柄：図４０（Ｃ）参照）と所定演出を示唆する所定演出示唆画像（例えば、キャラクタ図柄９ｂ，９ｃ：図４０（Ｃ）参照）とが可変表示装置に表示される特別リーチ演出を含み（例えば、図４０（Ｃ）に示す演出）、特別リーチ演出が実行された後、識別情報が導出表示される前に所定演出を実行する所定演出実行手段（例えば、演出制御用マイクロコンピュータ１００において、ステップＳ８２５の処理の結果にもとづいてステップＳ８３１〜Ｓ８３３，Ｓ８４１〜Ｓ８４３の処理を実行する部分）をさらに備え、遊技価値付与手段は、所定演出実行手段により所定演出が実行されてから特定遊技状態に制御されたときと、特別リーチ演出が実行された後所定演出が実行されずに特定遊技状態に制御されたときとで、異なる遊技価値を付与し（例えば、図４４，図４５に示すように、通常大当りの場合と確変大当りの場合とで所定演出の実行割合を変えることによって実現される）、特定の領域に遊技媒体を進入させることを促す促進報知を実行する促進報知手段（例えば、確変制御（時短制御）が実行されているときに第２遊技領域へ向けて遊技媒体を発射して遊技媒体を第２遊技領域に進入させるよう促す報知）と、所定の報知演出を実行しているときに前記促進報知手段による前記促進報知の実行を制限する制限手段（例えば、大当り中昇格演出を実行しているときには「右を狙え」という表示をしないことや、連続予告演出の実行中に「右を狙え」や「左を狙え」といった表示をしないようにする部分）と、を更に備えた、ことを特徴とする。
そのような構成によれば、所定演出に対して、より遊技者を注目させることができる。
【手続補正書】
【提出日】平成26年11月12日(2014.11.12)
【手続補正１】
【補正対象書類名】明細書
【補正対象項目名】０００６
【補正方法】変更
【補正の内容】
【０００６】
以上の課題を解決するため、請求項１に記載の発明は、
遊技者が操作可能な操作手段を前面に備えた遊技機において、
前記操作手段は、当該操作手段に対する押圧操作を検出可能な押圧操作検出手段と、当該操作手段に対する接触操作を検出可能な接触操作検出手段と、を備え、
前記押圧操作の操作態様と前記接触操作の操作態様とに基づいて、所定の遊技処理を実行することを特徴とする。
【手続補正２】
【補正対象書類名】特許請求の範囲
【補正対象項目名】請求項１
【補正方法】変更
【補正の内容】
【請求項１】
遊技者が操作可能な操作手段を前面に備えた遊技機において、
前記操作手段は、当該操作手段に対する押圧操作を検出可能な押圧操作検出手段と、当該操作手段に対する接触操作を検出可能な接触操作検出手段と、を備え、
前記押圧操作の操作態様と前記接触操作の操作態様とに基づいて、所定の遊技処理を実行することを特徴とする遊技機。
【手続補正書】
【提出日】平成26年9月9日(2014.9.9)
【手続補正１】
【補正対象書類名】特許請求の範囲
【補正対象項目名】全文
【補正方法】変更
【補正の内容】
【特許請求の範囲】
【請求項１】
変動表示を行って表示結果を導出する変動表示手段を用いた遊技を行うための遊技機であって、
変動表示を開始するときに、変動表示における特定変動表示の実行態様と、変動表示における前記特定変動表示以外の変動表示の実行態様とを決定する開始時決定手段と、
前記開始時決定手段による決定前に、前記特定変動表示の実行態様を判定する始動時判定手段と、
前記開始時決定手段により決定された前記特定変動表示以外の変動表示の実行態様に関する第１コマンドと、前記開始時決定手段により決定された前記特定変動表示の実行態様に関する第２コマンドとを送信するコマンド送信手段と、
前記コマンド送信手段から送信される前記第１コマンドと前記第２コマンドにもとづいて前記変動表示手段における変動表示を制御する変動表示制御手段と、
未だ開始されていない変動表示について、保留情報として記憶可能な保留記憶手段と、
前記保留記憶手段に記憶される保留情報に対応して保留表示を行う保留表示手段と、
前記始動時判定手段による判定にもとづいて、前記第２コマンドに対応する事前コマンドを送信する事前コマンド送信手段と、
前記事前コマンドにもとづいて、保留情報に対応する変動表示について、前記特定変動表示の実行を示唆する先読み予告演出を実行する先読み予告演出実行手段と、
を備え、
前記先読み予告演出実行手段は、
前記始動時判定手段の判定対象となった保留情報に対応する保留表示である対象保留表示を通常態様とは異なる態様にて前記保留表示手段に表示させることが可能であり、
前記対象保留表示および該対象保留表示以外の保留表示を通常態様とは異なる態様にて前記保留表示手段に表示させることが可能である、
ことを特徴とする遊技機。
【手続補正２】
【補正対象書類名】明細書
【補正対象項目名】０００１
【補正方法】変更
【補正の内容】
【０００１】
本発明は、変動表示を行って表示結果を導出する変動表示手段を用いた遊技を行うためのパチンコ遊技機等の遊技機に関する。
【手続補正３】
【補正対象書類名】明細書
【補正対象項目名】０００５
【補正方法】変更
【補正の内容】
【０００５】
近年においては、変動表示演出装置において始動入賞に対応した変動表示が開始される前に、該変動表示においてスーパーリーチ等の特定の実行態様の特定演出が実行されるか否か等を事前に示唆する先読み予告演出を実行する遊技機が普及している。これに対して、特許文献１に記載の遊技機のように、制御コマンドを、変動表示の前半部分と変動表示の後半部分にそれぞれ分けて送信すると、先読み予告演出を実行する場合には、変動表示の前半部分と後半部分の双方の制御コマンドを先読みしなければならず、単一のコマンドを使用した場合に比較して、先読み予告演出を実行するための制御負荷が大きくなってしまうという問題があった。
【手続補正４】
【補正対象書類名】明細書
【補正対象項目名】０００６
【補正方法】変更
【補正の内容】
【０００６】
本発明は、このような問題点に着目してなされたもので、変動表示を指定する制御コマンドとして複数のコマンドを使用しても、先読み予告演出を実行するための制御負荷が大きくなってしまうことのない遊技機を提供することを目的とする。
【手続補正５】
【補正対象書類名】明細書
【補正対象項目名】０００７
【補正方法】変更
【補正の内容】
【０００７】
前記課題を解決するために、本発明の請求項１に記載の遊技機は、
変動表示を行って表示結果を導出する変動表示手段（例えば、演出表示装置５）を用いた遊技を行うための遊技機（パチンコ遊技機１）であって、
変動表示を開始するときに、変動表示における特定変動表示（例えば、ノーマルリーチやスーパーリーチ）の実行態様と、変動表示における前記特定変動表示以外の変動表示の実行態様（例えば、滑りや擬似連の演出）とを決定する開始時決定手段（例えば、ＣＰＵ１０３がステップＳ１１０の特別図柄通常処理とステップＳ１１１の変動パターン設定処理を実行する部分）と、
前記開始時決定手段による決定前に、前記特定変動表示の実行態様を判定する始動時判定手段（例えば、ＣＰＵ１０３が入賞時乱数値判定処理を実行する部分）と、
前記開始時決定手段により決定された前記特定変動表示以外の変動表示の実行態様に関する第１コマンド（前変動パターン指定コマンド）と、前記開始時決定手段により決定された前記特定変動表示の実行態様に関する第２コマンド（後変動パターン指定コマンド）とを送信するコマンド送信手段（例えば、ＣＰＵ１０３がステップＳ２６６とステップＳ２７１ａを実行する部分）と、
前記コマンド送信手段から送信される前記第１コマンドと前記第２コマンドにもとづいて前記変動表示手段における変動表示を制御する変動表示制御手段（例えば、演出制御用ＣＰＵ１２０がステップＳ７５の演出制御プロセス処理を実行する部分）と、
未だ開始されていない変動表示について、保留情報として記憶可能な保留記憶手段（例えば、第１特図保留記憶部１５１Ａ、第２特図保留記憶部１５１Ｂ）と、
前記保留記憶手段に記憶される保留情報に対応して保留表示を行う保留表示手段（例えば、始動入賞記憶表示エリア５Ｈにおいて特図保留記憶数を特定可能に表示する表示部位）と、
前記始動時判定手段による判定にもとづいて、前記第２コマンドに対応する事前コマンド（例えば、変動カテゴリコマンド）を送信する事前コマンド送信手段（例えば、ＣＰＵ１０３がステップＳ４６５の処理を実行する部分）と、
前記事前コマンドにもとづいて、保留情報に対応する変動表示について、前記特定変動表示の実行を示唆する先読み予告演出を実行する先読み予告演出実行手段（例えば、演出制御用ＣＰＵ１２０がステップＳ１６１の先読み予告処理を実行し、演出制御用ＣＰＵ１２０がステップＳ７０９を実行することで、変動カテゴリコマンドから特定される変動カテゴリが予告の実行可能カテゴリであることを条件に、予告の実行を決定する）と、
前記始動時判定手段による判定にもとづいて、前記第２コマンドに対応する事前コマンド（例えば、変動カテゴリコマンド）を送信する事前コマンド送信手段（例えば、ＣＰＵ１０３がステップＳ４６５の処理を実行する部分）と、
を備え、
前記先読み予告演出実行手段は、
前記始動時判定手段の判定対象となった保留情報に対応する保留表示である対象保留表示を通常態様とは異なる態様にて前記保留表示手段に表示させることが可能であり、
前記対象保留表示および該対象保留表示以外の保留表示を通常態様とは異なる態様にて前記保留表示手段に表示させることが可能である、
ことを特徴としている。
この特徴によれば、第２コマンドに対応する事前コマンドにもとづいて先読み予告演出が実行されるため、先読み予告演出を実行するための制御負荷を低減することができる。
【手続補正書】
【提出日】平成26年9月9日(2014.9.9)
【手続補正１】
【補正対象書類名】特許請求の範囲
【補正対象項目名】全文
【補正方法】変更
【補正の内容】
【特許請求の範囲】
【請求項１】
可変表示を行い表示結果を導出表示する可変表示手段にあらかじめ定められた特定表示結果が導出表示されたときに遊技者にとって有利な特定遊技状態に制御する遊技機であって、
未だ開始されていない可変表示について、保留記憶として記憶する保留記憶手段と、
前記保留記憶手段に記憶されている保留記憶の各々に対応して第１の表示態様または第２の表示態様により保留表示を表示する保留表示手段と、
前記保留記憶手段に記憶されている保留記憶にもとづいて、可変表示の表示結果が前記特定表示結果となるか否かを判定する開始前判定手段と、
前記開始前判定手段の判定結果にもとづいて、前記開始前判定手段の判定の対象となった保留表示である対象保留表示について、特定のタイミングにおいて前記第２の表示態様により保留表示を前記保留表示手段に表示させる保留予告演出を実行する保留予告演出実行手段と、
所定条件が成立したことにもとづいて前記保留表示手段の保留表示を非表示状態とする非表示制御を実行し、前記所定条件の成立が解除されたことにもとづいて前記保留表示手段の保留表示を表示状態とする表示制御を実行する保留表示制御手段とを備え、
前記保留表示制御手段は、前記非表示制御を実行した後に、前記非表示制御を終了し前記表示制御を実行するときには、前記第１の表示態様により保留表示を表示させ、
前記保留予告演出実行手段は、前記対象保留表示および該対象保留表示以外の保留表示を前記第２の表示態様により前記保留表示手段に表示させることが可能である、
ことを特徴とする遊技機。
【手続補正２】
【補正対象書類名】明細書
【補正対象項目名】０００１
【補正方法】変更
【補正の内容】
【０００１】
本発明は、可変表示を行い表示結果を導出表示する可変表示手段にあらかじめ定められた特定表示結果が導出表示されたときに遊技者にとって有利な特定遊技状態に制御するパチンコ遊技機等の遊技機に関する。
【手続補正３】
【補正対象書類名】明細書
【補正対象項目名】００１１
【補正方法】変更
【補正の内容】
【００１１】
（手段１）本発明による遊技機は、可変表示を行い表示結果を導出表示する可変表示手段（例えば、第１特別図柄表示器８ａ、第２特別図柄表示器８ｂ、演出表示装置９）にあらかじめ定められた特定表示結果（例えば、大当り図柄）が導出表示されたときに遊技者にとって有利な特定遊技状態に制御する遊技機（例えば、大当り遊技状態）であって、未だ開始されていない可変表示について、保留記憶として記憶する保留記憶手段（例えば、第１保留記憶バッファ、第２保留記憶バッファ）と、保留記憶手段に記憶されている保留記憶の各々に対応して第１の表示態様（例えば、緑色の丸形表示）または第２の表示態様（例えば、青色、赤色、虹色の丸形表示）により保留表示を表示する保留表示手段（例えば、第１保留記憶表示部９ａ、第２保留記憶表示部９ｂ）と、保留記憶手段に記憶されている保留記憶にもとづいて、可変表示の表示結果が特定表示結果となるか否かを判定する開始前判定手段（例えば、遊技制御用マイクロコンピュータ５６０におけるステップＳ１２１７Ａ，Ｓ１２１７Ｂを実行する部分）と、開始前判定手段の判定結果にもとづいて、開始前判定手段の判定の対象となった保留表示である対象保留表示について、特定のタイミング（例えば、始動入賞が発生したタイミング、保留記憶を消化し保留表示をシフトするタイミング）において第２の表示態様により保留表示を保留表示手段に表示させる保留予告演出を実行する保留予告演出実行手段と、所定条件が成立したこと（例えば、可動物予告演出やスーパーリーチ演出が実行されていること）にもとづいて保留表示手段の保留表示を非表示状態とする非表示制御を実行し、所定条件の成立が解除されたことにもとづいて保留表示手段の保留表示を表示状態とする表示制御を実行する保留表示制御手段（例えば、演出制御用マイクロコンピュータ１００におけるステップＳ８１０６〜Ｓ８１１４を実行する部分）とを備え、保留表示制御手段は、非表示制御を実行した後に、非表示制御を終了し表示制御を実行するときには、第１の表示態様により保留表示を表示させ（例えば、演出制御用マイクロコンピュータ１００におけるステップＳ７００７，Ｓ７００８を実行する部分）、保留予告演出実行手段は、対象保留表示および該対象保留表示以外の保留表示を第２の表示態様により保留表示手段に表示させることが可能である（例えば、保留予告演出において保留記憶表示ＮＥＷと併せて保留記憶表示ＯＬＤも特殊態様に変化させる部分）、ことを特徴とする。そのような構成により、非表示制御から表示制御に移行したときに保留予告演出が既に実行されているような事態を防止し、遊技に対する興趣を低下させてしまうことを防止することができる。
なお、「保留予告演出を制限する」とは、保留予告演出の制限期間内に発生した始動入賞（始動領域への遊技媒体の通過）に対応する保留記憶に対して、全く保留予告演出の設定を行わず保留予告演出を実行しない概念と、保留予告演出の開始タイミングを遅らせる概念との両方を含む。さらに、「保留予告演出を制限する」という概念には、既に現在表示中である保留表示に対応する保留記憶に対して、遡及的に保留予告演出を実行することを禁止したり、保留予告演出の開始タイミングを遅らせたりすることも含まれる。